(57)【要約】【課題】排血口部分における吸収性とフィット性、及び臀裂部分におけるフィット性を両立する。【解決手段】吸収体４は、上層吸収体４Ａにより周囲部よりも厚肉であり且つ幅方向中央部に沿って延在する厚肉部４０が形成されているものであり、この厚肉部４０は、排血口と対応する排血口部分４１と、その後側に位置し、臀裂と対応する臀裂部分４２とを有し、上層吸収体４Ａにおける排血口部分４１を含む前側部分４Ａ1は、繊維長４〜１０ｍｍ、繊度２〜１０ｄｔｅｘの合成繊維と、パルプ繊維とからなり、パルプ繊維：合成繊維の比率が重量換算で８０〜２０：２０〜８０であり、且つ繊維目付け２００〜５００ｇ／ｍ2、厚み５〜２０ｍｍであり、上層吸収体４Ａにおける臀裂部分４２を含む後側部分４Ａ2は、繊維長４〜２０ｍｍ、繊度５〜２０ｄｔｅｘの合成繊維と、パルプ繊維とからなり、パルプ繊維：合成繊維の比率が重量換算で０〜８０：２０〜１００であり、且つ繊維目付け２００〜５００ｇ／ｍ2、厚み８〜２５ｍｍである、吸収性物品である。【選択図】図１２
2010022560.tif 000002
【特許請求の範囲】
【請求項１】
透液性トップシートとバックシートとの間に、繊維集合体で形成された吸収体が介在されてなる吸収性物品において、
前記吸収体は、周囲部よりも厚肉であり且つ幅方向中央部に沿って延在する厚肉部を有し、これら厚肉部及び周囲部の高低差によって前記トップシート表面に中高部が形成されており、
前記厚肉部は、排血口と対応する排血口部分と、その後側に位置し、臀裂と対応する臀裂部分とを有し、
前記吸収体の前記排血口部分における少なくとも最上層部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２０ｍｍであり、
前記吸収体の前記臀裂部分における厚み方向の少なくとも一部の層は、繊維長４〜２０ｍｍ、繊度５〜２０ｄｔｅｘの範囲内で且つ前記吸収体の前記排血口部分における少なくとも最上層部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
ことを特徴とする吸収性物品。
【請求項２】
前記吸収体は下層吸収体の上に上層吸収体を積層してなる２層構造であるとともに、前記厚肉部の周囲部は前記下層吸収体のみにより形成され、且つ前記厚肉部は上層吸収体と下層吸収体との積層部分により形成されており、
前記上層吸収体の前記排血口部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み８〜２５ｍｍであり、
前記上層吸収体の前記臀裂部分は、繊維長４〜２０ｍｍ、繊度５〜２０ｄｔｅｘの範囲内で且つ前記上層吸収体の前記排血口部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍであり、
前記下層吸収体は、繊維長４〜２０ｍｍ、繊度２〜１０ｄｔｅｘの合成繊維が前後方向に沿って配向された、繊維目付け０〜３００ｇ／ｍ2、厚み０〜２０ｍｍの合成繊維集合体である上層部と、繊維目付け２００〜８００ｇ／ｍ2、厚み５〜２５ｍｍのパルプ繊維集合体である下層部とからなり、且つパルプ繊維：合成繊維の比率が重量換算で９０〜６０：１０〜４０である、
請求項１記載の吸収性物品。
【請求項３】
前記吸収体の厚肉部のうち前記排血口部分は、下層吸収体の上に上層吸収体を積層してなる２層構造であるとともに、前記臀裂部分は、下層吸収体の上に中層吸収体及び上層吸収体をこの順に積層してなる３層構造であり、且つこれら厚肉部の周囲部が前記下層吸収体のみにより形成されており、
前記排血口部分並びに前記臀裂部分における各前記上層吸収体は、繊維長４〜１０ｍｍ、繊度５〜２０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２５ｍｍであり、
前記臀裂部分における前記中層吸収体は、繊維長４〜２０ｍｍ、繊度２〜１０ｄｔｅｘの範囲内で且つ前記排血口部分並びに前記臀裂部分における各前記上層吸収体の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
前記排血口部分並びに前記臀裂部分における各前記下層吸収体は、繊維長４〜２０ｍｍ、繊度２〜１０ｄｔｅｘの合成繊維が前後方向に沿って配向された、繊維目付け０〜３００ｇ／ｍ2、厚み０〜２０ｍｍの合成繊維集合体である上層部と、繊維目付け２００〜８００ｇ／ｍ2、厚み５〜２５ｍｍのパルプ繊維集合体である下層部とからなり、且つパルプ繊維：合成繊維の比率が重量換算で９０〜６０：１０〜４０である、
請求項１記載の吸収性物品。
【請求項４】
前記吸収体は、前記厚肉部及び周囲部が立体積繊により形成された一層構造体であり、
前記吸収体の前記排血口部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２５ｍｍであり、
前記吸収体の前記臀裂部分は、繊維長４〜２０ｍｍ、繊度５〜２０ｄｔｅｘの範囲内で且つ前記吸収体の前記排血口部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
請求項１記載の吸収性物品。
【発明の詳細な説明】
【技術分野】
【０００１】
本発明は、経血やおりものなどを吸収するための生理用ナプキン、パンティライナー等の吸収性物品に関する。
【背景技術】
【０００２】
従来、パンティライナー、生理用ナプキンなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
この種の吸収性物品にも幾多の改良が重ねられ、体液の漏れを防止するために種々の手段が講じられている。これら体液漏れ防止手段の一つとして、吸収体の幅方向中央に沿って中高部を形成して排血口へのフィット性を向上せしめるとともに、中高部の形状を保持するために中高部の周縁の外側位置に線状のエンボス加工を施すことが提案されている（例えば、特許文献１〜４等参照）。つまり、中高部においては、排血口部分における十分な吸収性能及び良好なフィット性が要求されている。
【特許文献１】特開平１０−３２８２３３号公報
【特許文献２】特開平１１−３５８号公報
【特許文献３】特開平１１−３３０５４号公報
【特許文献４】特開２００６−３４０６２１号公報
【発明の開示】
【発明が解決しようとする課題】
【０００３】
しかしながら、従来の吸収体の中高部は、全体にわたり同質の繊維集合体により形成されていたため、排血口に対する吸収性能とフィット性を重視した設計にすると、臀裂へのフィット性が不十分となり、臀部への伝い漏れが発生し易くなり、反対に臀裂へのフィット性を重視した設計にすると、排血口における吸収性能が低下するといった問題点があった。
そこで本発明の主たる課題は、上記問題を解決することにある。
【課題を解決するための手段】
【０００４】
＜請求項１記載の発明＞
透液性トップシートとバックシートとの間に、繊維集合体で形成された吸収体が介在されてなる吸収性物品において、
前記吸収体は、周囲部よりも厚肉であり且つ幅方向中央部に沿って延在する厚肉部を有し、これら厚肉部及び周囲部の高低差によって前記トップシート表面に中高部が形成されており、
前記厚肉部は、排血口と対応する排血口部分と、その後側に位置し、臀裂と対応する臀裂部分とを有し、
前記吸収体の前記排血口部分における少なくとも最上層部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２０ｍｍであり、
前記吸収体の前記臀裂部分における厚み方向の少なくとも一部の層は、繊維長４〜２０ｍｍ、繊度５〜２０ｄｔｅｘの範囲内で且つ前記吸収体の前記排血口部分における少なくとも最上層部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
ことを特徴とする吸収性物品。
【０００５】
（作用効果）
本発明の特徴は、中高部を形成する吸収体厚肉部の部位により繊維の長さ、太さ等を使い分け、排血口部分における吸収性とフィット性、及び臀裂部分におけるフィット性を両立させたところにある。すなわち、吸収体厚肉部の排血口部分はもっとも経血の吸収が多いため、経血を繰り返し吸収しても吸収速度が落ちないことがモレ防止につながる。また、肌触りを損ねないためにも柔軟性が必要である。本発明では、排血口部分における少なくとも最上層部分に、細く短めの合成繊維を配合することによって、排血口部分の液保持性を抑えて繰り返し吸収性を向上できるだけでなく、柔軟で排血口付近に対して十分にフィットするようになる。一方、吸収体厚肉部のうち臀裂部部分は、太く長めの合成繊維を配合することによって嵩高で圧縮復元性に富むようになり、臀裂に対して良好にフィットし、伝い漏れが効果的に防止されるようになる。
【０００６】
＜請求項２記載の発明＞
前記吸収体は下層吸収体の上に上層吸収体を積層してなる２層構造であるとともに、前記厚肉部の周囲部は前記下層吸収体のみにより形成され、且つ前記厚肉部は上層吸収体と下層吸収体との積層部分により形成されており、
前記上層吸収体の前記排血口部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み８〜２５ｍｍであり、
前記上層吸収体の前記臀裂部分は、繊維長４〜２０ｍｍ、繊度５〜２０ｄｔｅｘの範囲内で且つ前記上層吸収体の前記排血口部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍであり、
前記下層吸収体は、繊維長４〜２０ｍｍ、繊度２〜１０ｄｔｅｘの合成繊維が前後方向に沿って配向された、繊維目付け０〜３００ｇ／ｍ2、厚み０〜２０ｍｍの合成繊維集合体である上層部と、繊維目付け２００〜８００ｇ／ｍ2、厚み５〜２５ｍｍのパルプ繊維集合体である下層部とからなり、且つパルプ繊維：合成繊維の比率が重量換算で９０〜６０：１０〜４０である、
請求項１記載の吸収性物品。
【０００７】
（作用効果）
本項記載の発明は、２層構造の吸収体を利用して、吸収体の部位により繊維の長さ、太さ等を使い分け、排血口部分における吸収性とフィット性、及び臀裂部分におけるフィット性を両立させたものである。上層吸収体のうち排血口部分に細く短めの合成繊維を配合することによって、排血口部分の液保持性を抑えて繰り返し吸収性を向上できるだけでなく、柔軟で排血口付近に対して十分にフィットするようになる。また、上層吸収体のうち臀裂部部分は、太く長めの合成繊維を配合することによって嵩高で圧縮復元性に富むようになり、臀裂に対して良好にフィットし、伝い漏れが効果的に防止されるようになる。さらに、下層吸収体は、細い合成繊維を配合し、厚みを薄くすることにより、上層吸収体による厚肉部が強調されるとともに、厚肉部の周囲部が柔軟となり、股間部への当りが柔らかくなることにより装着感が良好となる。
【０００８】
＜請求項３記載の発明＞
前記吸収体の厚肉部のうち前記排血口部分は、下層吸収体の上に上層吸収体を積層してなる２層構造であるとともに、前記臀裂部分は、下層吸収体の上に中層吸収体及び上層吸収体をこの順に積層してなる３層構造であり、且つこれら厚肉部の周囲部が前記下層吸収体のみにより形成されており、
前記排血口部分並びに前記臀裂部分における各前記上層吸収体は、繊維長４〜１０ｍｍ、繊度５〜２０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２５ｍｍであり、
前記臀裂部分における前記中層吸収体は、繊維長４〜２０ｍｍ、繊度２〜１０ｄｔｅｘの範囲内で且つ前記排血口部分並びに前記臀裂部分における各前記上層吸収体の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
前記排血口部分並びに前記臀裂部分における各前記下層吸収体は、繊維長４〜２０ｍｍ、繊度２〜１０ｄｔｅｘの合成繊維が前後方向に沿って配向された、繊維目付け０〜３００ｇ／ｍ2、厚み０〜２０ｍｍの合成繊維集合体である上層部と、繊維目付け２００〜８００ｇ／ｍ2、厚み５〜２５ｍｍのパルプ繊維集合体である下層部とからなり、且つパルプ繊維：合成繊維の比率が重量換算で９０〜６０：１０〜４０である、
請求項１記載の吸収性物品。
【０００９】
（作用効果）
本項記載の発明は、吸収体の厚肉部のうち排血口部分では２層構造、臀裂部分では３層構造となる吸収体構造を利用して、吸収体の部位により繊維の長さ、太さ等を使い分け、排血口部分における吸収性とフィット性、及び臀裂部分におけるフィット性を両立させたものである。上層吸収体に細く短めの合成繊維を配合することによって、排血口部分及び臀裂部分の液保持性を抑えて繰り返し吸収性を向上できるだけでなく、柔軟で排血口付近に対して十分にフィットし、かつ排血口から臀部に至る部分の肌触りも良好となる。また、臀裂部分に位置する中層吸収体は、太く長めの合成繊維を配合することによって嵩高で圧縮復元性に富むようになり、臀裂に対して良好にフィットし、伝い漏れが効果的に防止されるようになる。さらに、下層吸収体は、細い合成繊維を配合し、厚みを薄くすることにより、上層吸収体及び中層吸収体による厚肉部が強調されるとともに、厚肉部の周囲部が柔軟となり、股間部への当りが柔らかくなることにより装着感が良好となる。
【００１０】
＜請求項４記載の発明＞
前記吸収体は、前記厚肉部及び周囲部が立体積繊により形成された一層構造体であり、
前記吸収体の前記排血口部分は、繊維長４〜１０ｍｍ、繊度２〜１０ｄｔｅｘの合成繊維と、パルプ繊維とからなり、前記パルプ繊維：合成繊維の比率が重量換算で８０〜２０：２０〜８０であり、且つ繊維目付け２００〜５００ｇ／ｍ2、厚み５〜２５ｍｍであり、
前記吸収体の前記臀裂部分は、繊維長４〜２０ｍｍ、繊度５〜２０ｄｔｅｘの範囲内で且つ前記吸収体の前記排血口部分の合成繊維よりも太い繊度の合成繊維と、パルプ繊維とからなり、前記パルプ繊維：合成繊維の比率が重量換算で０〜８０：２０〜１００であり、且つ繊維目付け２００〜５００ｇ／ｍ2、厚み８〜２５ｍｍである、
請求項１記載の吸収性物品。
【００１１】
（作用効果）
本項記載の発明は、一層構造の吸収体を採用するとともに、排血口部分及び臀裂部分で繊維の長さ、太さ等を使い分け、排血口部分における吸収性とフィット性、及び臀裂部分におけるフィット性を両立させたものである。吸収体の厚肉部における排血口部分には細く短めの合成繊維を配合することによって、排血口部分の液保持性を抑えて繰り返し吸収性を向上できるだけでなく、柔軟で排血口付近に対して十分にフィットするようになる。また、吸収体の厚肉部における臀裂部分は、太く長めの合成繊維を配合することによって嵩高で圧縮復元性に富むようになり、臀裂に対して良好にフィットし、伝い漏れが効果的に防止されるようになる。
【発明の効果】
【００１２】
以上のとおり本発明によれば、排血口部分における吸収性とフィット性、及び臀裂部分におけるフィット性を両立できる等の利点がもたらされる。
【発明を実施するための最良の形態】
【００１３】
以下、本発明の実施の形態について図面を参照しながら詳述する。
＜第１の実施形態＞
図１は本発明の第１の実施形態に係る生理用ナプキン１の展開図であり、図２は図１のII−II線矢視図、図３は図１のIII−III線矢視図、図１２は図１のIV−IV線矢視図である。
生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために吸収体４を囲繞するクレープ紙５と、吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ吸収体４の周囲においては、その上下端縁部では不透液性バックシート２と透液性トップシート３との外縁部がホットメルトなどの接着剤やヒートシール等の接着手段によって接合され、またその両側縁部では吸収体４よりも側方に延出している不透液性バックシート２と、立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００１４】
不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。不透液性バックシート２の非使用面側（外面）には１または複数条の粘着剤層（図示せず）が形成され、身体への装着時に生理用ナプキン１を下着に固定するようになっている。不透液性バックシート２としては、プラスチックフィルムと不織布とを積層させたポリラミ不織布を用いてもよい。
【００１５】
透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート３に多数の透孔を形成した場合には、経血やおりもの等（以下、まとめて体液という。）が速やかに吸収されるようになり、ドライタッチ性に優れたものとなる。なお、後述するように、上層吸収体４Ａは合成繊維の配合により液保持性が低下するため、トップシート３としてエアスルー不織布等の液保持性に富む素材を用いると、トップシート３に液残りを生ずるおそれがあるため、有孔のフィルム又は不織布のように液保持し難い素材が好適である。
【００１６】
一方、透液性トップシート３の幅寸法は、図示例では、図２および図３の横断面図に示されるように、吸収体４の幅よりも若干長めとされ、吸収体４を覆うだけに止まり、立体ギャザーＢＳは透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３ｇ／ｍ2として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００１７】
サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これらサイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図１１に示されるように、ショーツ３０に対する装着時に、ウイング状フラップＷ、Ｗが折返し線ＲＬ位置にて反対側に折り返し、ショーツのクロッチ部分に巻き付けて止着するようになっている。
【００１８】
サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００１９】
吸収体４は、上層吸収体４Ａと下層吸収体４Ｂとが積層された２層構造となっている。下層吸収体４Ｂは、吸収体配置領域の外縁を画成する平面形状を有し、上層吸収体４Ａは、幅方向中央部にナプキン長手方向に細長く区画される領域に、使用面側に高い吸収体の中高部６を形成するために配置される。つまり、上層吸収体４Ａと下層吸収体４Ｂとの積層部分により厚肉部４０が形成されるとともに、その周囲部は下層吸収体４Ｂのみにより形成されており、これら厚肉部４０及び周囲部の高低差によってトップシート表面に中高部６が形成されている。この中高部６の厚みは、厚くし過ぎると吸収体４の剛性が上がり身体への密着性が低下するため３〜２０ｍｍ、好ましくは５〜１５ｍｍとするのが好ましい。
【００２０】
上層吸収体４Ａ及び下層吸収体４Ｂはいずれか一方又は両方を個別又は一体的にクレープ紙５によって囲繞することができる。吸収体４Ａ、４Ｂをクレープ紙５によって囲繞する場合、及びクレープ紙５によって囲繞された上層吸収体４Ａと下層吸収体４Ｂとを積層する際にも、これらを接合するための接着剤を用いることなく、図４(A)の模式図に示すように、上層吸収体４Ａの位置ズレは上層吸収体４Ａの周囲に設けたエンボス８によって行うのがよい。
【００２１】
また、クレープ紙５によって囲繞された上層吸収体４Ａと、クレープ紙５によって囲繞された下層吸収体４Ｂとを積層する場合、上層吸収体４Ａと下層吸収体４Ｂとの境界面には２重にクレープ紙５が積層することになり、このクレープ紙５が液透過性を阻害する。しかし、ライン上で積繊したパルプが脱落したり、パルプ繊維の転着等による設備への悪影響を及ぼさないようにするため吸収体４Ａ、４Ｂをクレープ紙５で囲繞する必要性も生じるため、上層吸収体４Ａの下面及び／又は下層吸収体４Ｂの上面において、クレープ紙５に開口を形成するのが望ましい。図４(B)は下層吸収体４Ｂの上面においてクレープ紙５に開口を形成した例であり、図４(C)は上層吸収体４Ａの下面にクレープ紙５に開口を形成した例であり、更に図４(D)は下層吸収体４Ｂの上面及び上層吸収体４Ａの下面においてそれぞれクレープ紙５に開口を形成した例である。また、上層吸収体４Ａの位置ズレを防止するためのエンボス８は上層吸収体４Ａの外周とは限らず、上層吸収体４Ａの上面から下層吸収体４Ｂ方向に向けてエンボス８を付与するようにしてもよい。この場合には、エンボス８による窪みが下層吸収体４Ｂに食い込むように高圧力の下で行うようにする。
【００２２】
また、クレープ紙５による液透過性の阻害を無くすためには、図５(A)に示されるように、上層吸収体４Ａと下層吸収体４Ｂとを積層させた状態で、これら上層吸収体４Ａ及び下層吸収体４Ｂをクレープ紙５で囲繞するようにしてもよい。なお、図５(B)はさらにエンボス８を上層吸収体４Ａの周縁外部及び中央からエンボス８を付与した例を示したものである。
【００２３】
他方、上層吸収体４Ａの周縁に沿ってその近傍外側部位置には周方向に閉合するエンボス８が付与されているとともに、エンボス９，１０、１１がそれぞれ形成されている。エンボス８は上層吸収体４Ａの位置ズレを防止するとともに、中高部６をきっちりと画成するために付与されたエンボスである。
【００２４】
本生理用ナプキン１においては、詳細には図６に示されるように、幅方向中央部に使用面側に高い吸収体の中高部６を有するとともに、この中高部６を囲むように、ナプキン１の長手方向に細長いエンボス８が形成されている。このエンボス８は、前部側から順に、前端部エンボス８ａ、縮小形状エンボス８ｂ、第１の膨出形状エンボス８ｃ、中間弧状エンボス８ｄ、第２の膨出形状エンボス８ｅ、後部側エンボス８ｆから構成されている。これら各エンボスは分断することなく連続的に形成され、全体として周方向に閉合している。
【００２５】
前端部エンボス８ａは、略半円弧状に形成されたエンボスであり、中高部６の両側に夫々形成された略長手方向に沿う各左右一対のエンボスをナプキン前端部において曲線ラインで結合するエンボスである。
【００２６】
縮小形状エンボス８ｂは、前端部エンボス８ａに連続して中高部６の両側に、ナプキン１の長手方向に延長するように形成された左右一対のエンボスラインであり、ほぼ大腿部の前側に位置するとともに、図示の如く、エンボス離間幅の縮小領域を形成するように、両側のエンボスラインがそれぞれ、ナプキン１の外方側に曲率中心を有する曲線によって形成されている。
【００２７】
第１の膨出形状エンボス８ｃは、縮小形状エンボス８ｂに連続して中高部６の両側に、ほぼナプキン１の長手方向に延長するように形成された左右一対のエンボスラインであり、ほぼ大腿部の後側に位置するとともに、エンボス離間幅の拡大領域を形成するように、両側のエンボスラインがそれぞれ、ナプキン１の中心側に曲率中心を有する曲線によって形成されている。
【００２８】
中間弧状エンボス８ｄは、第１の膨出形状エンボス８ｃに連続して中高部６の両側に、ほぼナプキン１の長手方向に延長するように形成された左右一対のエンボスラインであり、詳細には図７に示されるように、曲率中心の位置が反転する変曲点を境界として、両側のエンボスラインがそれぞれ、ナプキン１の外方側に曲率中心を有する曲線によってごく短い区間で形成されている。
【００２９】
第２の膨出形状エンボス８ｅは、中間弧状エンボス８ｄに連続して中高部６の両側に、ほぼナプキン１の長手方向に延長するように形成された左右一対のエンボスラインであり、詳細には図７に示されるように、曲率中心の位置が反転する変曲点を境界として、両側のエンボスラインがそれぞれ、ナプキン１の中心側に曲率中心を有する曲線によって形成されている。この第２の膨出形状エンボス８ｅは第１の膨出形状エンボス８ｃと比較すると、相対的に短い区間幅で形成されている。
【００３０】
後部側エンボス８ｆは、第２の膨出形状エンボス８ｅに連続して中高部６の両側に、ほぼナプキン１の長手方向に延長するように形成された左右一対のエンボスラインであり、図示例では僅かづつエンボスの離間幅を漸次狭めるように後部側まで延長され、後部側において円弧状の曲線エンボスによって両側のエンボスが結合されている。この後部側エンボス８ｆの後部側寄りの中間位置には、エンボス離間幅を拡大領域を形成するように、それぞれのエンボスがナプキン１の中心側に曲率中心を有する曲線によって第３の膨出形状エンボス８ｇが形成されている。
【００３１】
後部側エンボス８ｆの外側には、該後部側エンボス８ｆと間を空けてナプキン１の長手方向に延長される第２の後部側エンボス１０，１０が形成されている。図示例ではこの第２の後部側エンボス１０は、それぞれナプキン１の外側に曲率中心を有する弧状曲線とされている。
【００３２】
また、前端部エンボス８ａの前側には、間を空けて略傘形状の前端独立エンボス９が形成されているとともに、後部側エンボス８ｆの後側には、間を開けて略逆傘形状の後端独立エンボス１１が形成されている。
【００３３】
以上のように形成される各種エンボス８〜１１によれば、次のような効果が得られる。
先ず、第１の膨出形状エンボス８ｃ、中間弧状エンボス８ｄ及び第２の膨出形状エンボス８ｅの形成領域においては、詳細には図７に示されるように、各膨出形状エンボス８ｃ、８ｅの形成領域は、外側に膨出するエンボスラインによってナプキン幅方向のラインを可撓軸（折れ線）として折り曲がりづらい領域となっているが、これら膨出形状エンボス８ｃ、８ｅによって挟まれた中間弧状エンボス８ｄはエンボス曲線が反転する領域であるため、それぞれの膨出形状エンボス８ｃ、８ｅの歪みの抑制力が開放されるため、相対的にナプキン幅方向のラインＸ１−Ｘ１を可撓軸として折り曲がり易くなっている。
【００３４】
一方、ナプキン１が図１１に示されるように、ショーツ３０に装着されたとすると、縮小形状エンボス８ｂ、第１の膨出形状エンボス８ｃの領域では、大腿部からの内側方向に向けて圧縮力を受けることになるとともに、この圧縮力は吸収体４を幅方向に圧縮すると同時に、ナプキン長手方向に沿って形成されたエンボス８によって力が伝達され、前部側及び後部側にはそれぞれ内方側に向かう作用力Ｆ１、Ｆ２が作用するようになる。さらに、ショーツ３０のクロッチ部分が身体側に引き上げられることによってナプキン１には縦方向中心線Ｙ−Ｙに沿って股間部に押し付けるような押圧力を受けることになる。
【００３５】
以上のような作用力を受けることによって、Ｚ１領域においては、排血口に相当する第１の膨出形状エンボス８ｃ部位に第１の隆起部Ｒ１が形成され、この隆起部Ｒ１が排血口付近に密着することにより経血等を吸収することができる。また、膣口から後方側の肛門付近にかけての会陰部に相当する第２の膨出形状エンボス８ｅ部位には、Ｘ１−Ｘ１可撓軸が形成される中間弧状エンボス８ｄを介して第２の隆起部Ｒ２が形成され、この隆起部Ｒ２が会陰部に密着することにより排血口付近で吸収できなかった経血等を確実に吸収し、体液の後側への伝い漏れを確実に防止できるようになる。
【００３６】
すなわち、図７(B)に示されるように、中間弧状エンボス８ｄ領域は隆起方向の歪みが開放されるとともに、Ｘ１−Ｘ１可撓軸のために、その前後に位置する第１の膨出形状エンボス８ｃ領域、及び第２の膨出形状エンボス８ｅ領域には２つの山が連なるように、隆起部Ｒ１、Ｒ２が形成されるようになり、隆起部Ｒ１が排血口付近に密着し、隆起部Ｒ２が会陰部付近に密着することで経血等の伝い漏れを確実に防止できるようになる。なお、隆起部Ｒ２は膨出形状エンボス８ｅの形成規模に比例して、隆起部Ｒ１よりも小さく形成される。
【００３７】
一方、後部側エンボス８ｆ領域においては、中高部６の両側に夫々、ナプキン１の長手方向に沿って後部側エンボス８ｆの他に、第２の後部側エンボス１０が形成され、これら計４条のエンボスが夫々可撓軸を形成するため、Ｘ２−Ｘ２に沿う方向の撓み性が向上し、ヒップの谷間部分に対するフィット性が増すようになる。
【００３８】
更に、後部側エンボス８ｆの後部側寄り位置に形成された第３の膨出形状エンボス８ｇは、変曲点位置に対応する横断線Ｘ３−Ｘ３、Ｘ４−Ｘ４それぞれの位置で折れ曲がり易くなっているとともに、各変曲点位置でナプキンの縦方向線Ｙ−Ｙ方向の歪みが分断されるため、領域Ｚ２が盛り上がるようにヒップの谷間にフィットするようになる。
【００３９】
他方、ナプキン１の最前端に形成された略傘状の前端独立エンボス９は、これが可撓軸となってナプキン１の前端部を折れ曲がり易くし、また後方側に形成された略逆傘形状の後端独立エンボス１１は、これが可撓軸となって左右の第２ウイング状フラップＷＢ、ＷＢを折れ曲がり易くする。
【００４０】
ところで、ナプキン１において、排血口位置は一般的にはウイングフラップＷ、Ｗ位置の対応箇所として定まるものであるが、例えば図８に示されるように、エンボス８の縮小形状エンボス８ｂ領域がウイングフラップＷ、Ｗに対応させる位置になるように、各種エンボス８〜１１を相対的に下側にずらして形成してもよい。
【００４１】
また、第１の膨出形状エンボス８ｃ領域と、第２の膨出形状エンボス８ｅ領域との間に形成される可撓軸Ｘ１−Ｘ１位置でナプキン１を折れ曲がり易くするため、ナプキン１の略幅方向に沿う補助エンボスを付与するようにしてもよい。図９(A)は補助エンボスとして、幅方向中央部に巾方向に配向された弧状エンボス１４を形成した例であり、図９(B)は両側のエンボスを繋ぐように幅方向に弧状エンボス１５を形成した例である。
上記形態例では、第２の後部側エンボス１０，１０を夫々独立的に形成したが、図９(C)に示されるように、第２の後部側エンボス１０，１０と後端独立エンボス１１とを連続させ、略横Ｕ字状の連続エンボス１６を形成するようにしてもよい。
【００４２】
さらに、図１０に示されるように、排血部位を含む領域Ｙ１、会陰部対応部位を含む領域Ｙ２及び第３の膨出形状エンボス８ｇを含む領域Ｙ３の中高部６の表面に、小さな窪み状のドッドエンボス１８．１８…を多数形成することにより、経血等の吸収性を向上させるようにするのが望ましい。同図の例では、可撓軸Ｘ１−Ｘ１の隣接位置、及び第３の膨出形状エンボス８ｇ部位のそれぞれに対して、幅方向中央部に巾方向に配向された弧状エンボス１４、１７を形成している。
上記形態例では、エンボス８は左右一対のエンボスラインがナプキンの前端部と後端部で結合され、全体として閉合形状を成しているが、左右一対のエンボスラインを前端部及び／又は後端部で結合しない態様で形成してもよい。
【００４３】
（特徴部分について）
特徴的には、図１２にも示すように、上層吸収体４Ａは、排血口と対応する排血口部分４１と、その後側に位置し、臀裂と対応する臀裂部分４２とを有するとともに、これらの境界より前側の部分４Ａ1と後側の部分４Ａ2とにおいて次記のとおり異なる繊維構成を採用するものである。
すなわち、上層吸収体４Ａの排血口部分４１を含む前側部分４Ａ1は、パルプ繊維と合成繊維とからなるとともに、パルプ繊維：合成繊維の比率が重量換算で８０〜２０：２０〜８０、好ましくは４０〜６０：６０〜４０であるものである。排血口部分４１における合成繊維の混合比率が低過ぎると液保持性が高くなり、繰り返し吸収性能が阻害されてしまうことになり、多過ぎると、合成繊維は吸水性を有しないか、親水性処理を施したものであっても吸水性は低いため体液の吸収速度が低下してしまうことになる。上層吸収体４Ａの排血口部分４１を含む前側部分４Ａ1に用いられる合成繊維は繊維長が４〜１０ｍｍ、好ましくは５〜８ｍｍとされ、繊度は２〜１０ｄｔｅｘ、好ましくは４〜８ｄｔｅｘとされる。繊維長が長過ぎるとパルプ繊維と均一に混ざりにくくなり性能にばらつきが出るという問題があり、短過ぎると繊維と繊維の間の空間がなくなり液体の透過性が悪くなるという問題がある。また、繊度が細過ぎると繊維と繊維の間の空間がなくなり液体の透過性が悪くなるという問題があり、太過ぎるとパルプ繊維と均一に混ざりにくくなり性能にばらつきが出るという問題がある。さらに、上層吸収体４Ａの排血口部分４１を含む前側部分４Ａ1においては、繊維目付けは２００〜５００ｇ／ｍ2、好ましくは３００〜４００ｇ／ｍ2、厚みは５〜２０ｍｍ、好ましくは８〜１５ｍｍとされる。繊維目付けが少な過ぎると、必要な吸収容量を維持できないという問題があり、多過ぎると装着時の違和感につながるという問題がある。また、厚みが薄過ぎると、肌と吸収体の間に隙間ができモレにつながるという問題があり、厚過ぎると装着時の違和感につながるという問題がある。
【００４４】
一方、上層吸収体の臀裂部分４２を含む後側部分４Ａ2は、少なくともパルプ繊維と合成繊維とからなるとともに、パルプ繊維：合成繊維の比率が重量換算で０〜８０：２０〜１００、好ましくは２０〜４０：６０〜８０であるものである。臀裂部分４２を含む後側部分４Ａ2における合成繊維の混合比率が低過ぎると嵩が出ず合成繊維を入れた効果が出ないという問題がある。上層吸収体４Ａの臀裂部分４２を含む後側部分４Ａ2に用いられる合成繊維は繊維長が４〜２０ｍｍ、好ましくは５〜１５ｍｍとされ、繊度は５〜２０ｄｔｅｘ、好ましくは８〜１５ｄｔｅｘの範囲内で且つ上層吸収体４Ａの排血口部分４１の合成繊維よりも太い繊度とされる。繊維長は、上記範囲内で且つ上層吸収体４Ａの排血口部分４１の合成繊維の繊維長よりも長いのが好ましい。繊維長が長過ぎるとパルプ繊維と均一に混ざりにくくなり性能にばらつきが出るという問題があり、短過ぎると繊維と繊維の間の空間がなくなり液体の透過性が悪くなるという問題がある。また、繊度が細過ぎると繊維と繊維の間の空間がなくなり液体の透過性が悪くなるという問題があり、太過ぎるとパルプ繊維と均一に混ざりにくくなり性能にばらつきが出るという問題がある。さらに、上層吸収体４Ａの臀裂部分４２を含む後側部分４Ａ2においては、繊維目付けは２００〜５００ｇ／ｍ2、好ましくは３５０〜４５０ｇ／ｍ2、厚みは８〜２５ｍｍ、好ましくは１５〜２０ｍｍとされる。繊維目付けが少な過ぎると、必要な吸収容量を維持できないという問題があり、多過ぎると装着時の違和感につながるという問題がある。また、厚みが薄過ぎると、肌と吸収体の間に隙間ができモレにつながるという問題があり、厚過ぎると装着時の違和感につながるという問題がある。
これら上層吸収体４Ａにおける前側部分４Ａ1及び後側部分４Ａ2は、各々のパルプ・合成繊維配合の原料を用いて別々に積繊することにより形成することができる。
【００４５】
他方、下層吸収体４Ｂは、繊維長４〜２０ｍｍ、好ましくは５〜１０ｍｍ、繊度２〜１０ｄｔｅｘ、好ましくは４〜８  ｄｔｅｘの合成繊維が前後方向に沿って配向された、繊維目付け０〜３００ｇ／ｍ2、好ましくは２０〜２００ｇ／ｍ2、厚み０〜２０ｍｍ、好ましくは１〜１０ｍｍの合成繊維集合体である上層部と、繊維目付け２００〜８００ｇ／ｍ2、好ましくは３００〜６００ｇ／ｍ2、厚み５〜２５ｍｍ、好ましくは１０〜２０ｍｍのパルプ繊維集合体である下層部とからなり、且つパルプ繊維：合成繊維の比率が重量換算で９０〜６０：１０〜４０であると好ましい。上層部の合成繊維集合体としては、例えばセルロースアセテートのトウを必要に応じて開繊して得られる連続繊維集合体を用いることができ、下層部のパルプ繊維集合体としてはパルプ繊維の積繊体を用いることができる。
【００４６】
下層吸収体４Ｂの上層部（合成繊維集合体）においては、繊維長が長過ぎるとパルプ繊維と均一に混ざりにくくなり性能にばらつきが出るという問題があり、短過ぎると繊維と繊維の間の空間がなくなり液体の透過性が悪くなるという問題がある。また、繊度が細過ぎると繊維と繊維の間の空間がなくなり液体の透過性が悪くなるという問題があり、太過ぎるとパルプ繊維と均一に混ざりにくくなり性能にばらつきが出るという問題がある。さらに、繊維目付けが多過ぎると上層から透過してきた経血を保持できないという問題がある。また、厚過ぎると上層から透過してきた経血を保持できないため、パルプ繊維層をさらに厚くする必要があるという問題がある。
【００４７】
一方、下層吸収体４Ｂの下層部（パルプ繊維集合体）においては、繊維目付けが少な過ぎると、必要な吸収容量を維持できず吸収性能の悪化につながるという問題があり、多過ぎると装着時の違和感につながるという問題がある。また、厚みが薄過ぎると、必要な吸収容量を維持できないという問題があり、厚過ぎると装着時の違和感につながるという問題がある。
【００４８】
上層吸収体４Ａ及び下層吸収体４Ｂは、排血口部分４１の繊維集合体を排血口部分４１の前側の部分４５まで延在させることにより、排血口部分４１の前側の部分４５の繊維構成を排血口部分４１の繊維構成と同一としているが、例えば臀裂部分４２と同様にする等、排血口部分４１の繊維構成とは異なる繊維構成を採用することもできる。また、下層吸収体４Ｂは、厚肉部４０の繊維集合体を周囲部まで延在させることにより、周囲部の繊維構成を厚肉部４０の繊維構成と同一としているが、異なる繊維構成を採用することもできる。
【００４９】
これら上層吸収体４Ａ及び下層吸収体４Ｂに用いられる合成繊維としては、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができ、これら２種を混合したものであってもよい。また、融点の高い繊維を芯とし融点の低い繊維を鞘とした芯鞘型繊維やサイドバイサイド型繊維、分割型繊維などの複合繊維も用いることができる。合成繊維は、体液に対する親和性を有するように、疎水性繊維の場合には親水化剤によって表面処理したものを用いるのが望ましい。
【００５０】
特に上層吸収体４Ａの排血口部分４１を含む前側部分４Ａ1に用いる合成繊維としては、ポリエチレン、ポリエステル又はこれらの混合繊維等が好適であり、臀裂部分４２を含む後側部分４Ａ2に用いる合成繊維としてはポリプロピレン繊維、ポリエステル繊維、これらの捲縮繊維（捲縮率１０〜９０％）等が好適であり、下層吸収体４Ｂに用いる合成繊維としては、保湿性・保水性の観点からアクリル繊維やナイロン繊維等が好適である。
【００５１】
上層吸収体４Ａ及び下層吸収体４Ｂに用いられるパルプ繊維の例としては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００５２】
上層吸収体４Ａは高吸水性樹脂を含有しない方が良いが、含有させることができる。高吸収性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。吸水性能を有する高吸水性樹脂は製造プロセスにおいて、架橋密度および架橋密度勾配を調整することにより吸水力と吸水速度の調整が可能である。上層吸収体４Ａにおける高吸水性樹脂の配合量を多くすると所謂ゲルブロッキング現象が起き、上層吸収体４Ａから下層吸収体４Ｂ側への浸透が阻害されるため、パルプ繊維及び合成繊維の合計重量に対して重量換算で１〜１０％の割合で配合するのが望ましい。なお、高吸水性樹脂含有率が５０％を超える場合にはパルプ繊維間の絡み合いが無くなり、シート強度が低下し破れや割れ等が発生し易くなるため望ましくない。
【００５３】
下層吸収体４Ｂは透過性よりも、上層吸収体４Ａから浸透した体液を内部に保留し外部に滲み出さないように保持する保持性が重要であるため、高吸水性樹脂を含有する方がむしろ望ましい。高吸収性樹脂の含有率は、体液を吸収し保水するために、下層吸収体４Ｂを構成する繊維の全体重量に対して１〜２０％重量％の割合で配合するのが望ましい。
【００５４】
上層吸収体４Ａにおける臀裂部分４２に代えて、図１３に示すように、下層吸収体４Ｂの対応部分を厚く形成し、下層吸収体４Ｂにより厚肉部４０の臀裂部分４２を形成することもでき、その場合における下層吸収体４Ｂの繊維構成等は上述した上層吸収体４Ａにおける臀裂部分４２と同様となる。
【００５５】
かくして構成された吸収性物品においては、上層吸収体４Ａのうち排血口部分４１に細く短めの合成繊維を配合することによって、排血口部分４１の液保持性が抑制されて繰り返し吸収性が向上するだけでなく、柔軟で排血口付近に対して十分にフィットするようになる。また、上層吸収体４Ａのうち臀裂部部分４２は、太く長めの合成繊維を配合することによって嵩高で圧縮復元性に富むようになり、臀裂に対して良好にフィットし、伝い漏れが効果的に防止されるようになる。さらに、下層吸収体４Ｂは、細い合成繊維を配合し、厚みを薄くすることにより、上層吸収体４Ａによる厚肉部４０が強調されるとともに、厚肉部４０の周囲部が柔軟となり、股間部への当りが柔らかくなることにより装着感が良好となる。
【００５６】
＜第２の実施形態＞
第２の実施形態は、図１４に示すように、吸収体４の厚肉部４０のうち排血口部分４１では２層構造、臀裂部分４２では３層構造となる吸収体構造を利用して、吸収体４の部位により繊維の長さ、太さ等を使い分け、排血口部分における吸収性とフィット性、及び臀裂部分におけるフィット性を両立させたものである。
すなわち、吸収体４の厚肉部４０のうち排血口部分４１は、下層吸収体４Ｂの上に上層吸収体４Ａを積層してなる２層構造であるとともに、臀裂部分４２は、下層吸収体４Ｂの上に中層吸収体４Ｃ及び上層吸収体４Ａをこの順に積層してなる３層構造であり、且つこれら厚肉部４０の周囲部が下層吸収体４Ｂのみにより形成されている。この第２の実施形態は、換言すれば、第１の実施形態における上層吸収体４Ａの排血口部分４１を含む前側部分４Ａ1の繊維構成を後側に延長して上層吸収体４Ａの臀裂部分４２を含む後側部分４Ａ2の上面を覆い、当該上層吸収体４Ａの臀裂部分４２を含む後側部分４Ａ2を下層吸収体４Ｂとの間に挟んで中間層としたものということができる。
よって、本第２の実施形態における上層吸収体４Ａ、下層吸収体４Ｂ、及び中層吸収体４Ｃは、それぞれ、第１の実施形態における上層吸収体４Ａの排血口部分４１、下層吸収体４Ｂ、及び上層吸収体４Ａの臀裂部分４２と同様の構成を採用することができる。
【００５７】
かくして構成された吸収性物品においては、上層吸収体４Ａに細く短めの合成繊維を配合することによって、排血口部分４１及び臀裂部分４２の液保持性が抑制されて繰り返し吸収性が向上するだけでなく、柔軟で排血口付近に対して十分にフィットし、かつ排血口から臀部に至る部分の肌触りも良好となる。また、臀裂部分４２に位置する中層吸収体４Ｃは、太く長めの合成繊維を配合することによって嵩高で圧縮復元性に富むようになり、臀裂に対して良好にフィットし、伝い漏れが効果的に防止されるようになる。さらに、下層吸収体４Ｂは、細い合成繊維を配合し、厚みを薄くすることにより、上層吸収体４Ａ及び中層吸収体４Ｃによる厚肉部４０が強調されるとともに、厚肉部４０の周囲部が柔軟となり、股間部への当りが柔らかくなることにより装着感が良好となる。
その他は第１の実施形態と同様である。
【００５８】
＜第３の実施形態＞
第３の実施形態は、図１５〜図１７に示すように、上記第１及び第２の実施形態と異なり、吸収体４が一層構造の場合における応用例である。すなわち、吸収体４は一層構造であり、且つ前後方向中央かつ幅方向中央に位置する厚肉部４０とその周囲部とを有し、これら厚肉部４０及び周囲部は立体積繊により形成されており、吸収体４の厚肉部４０における排血口部分４１と臀裂部分４２との境界より前側の部分４Ｄと後側の部分４Ｅとにおいてそれぞれにおいて、繊維の長さ、太さ等を使い分け、排血口部分における吸収性とフィット性、及び臀裂部分におけるフィット性を両立させたものである。
換言すれば、第３の実施形態は、吸収体４における排血口部分４１を含む前側部分４Ｄ及び臀裂部分４２を含む後側部分４Ｅが、第１の実施形態における上層吸収体４Ａの排血口部分４１を含む前側部分４Ａ1、及び上層吸収体４Ａの臀裂部分４２を含む後側部分４Ａ2にそれぞれ相当するものということができる。よって、第３の実施形態の吸収体４における排血口部分４１を含む前側部分４Ｄ及び臀裂部分４２を含む後側部分４Ｅは、それぞれ、第１の実施形態における上層吸収体４Ａの排血口部分４１を含む前側部分４Ａ1及び臀裂部分４２を含む後側部分４Ａ2と同様の構成を採用することができる。
【００５９】
吸収体４は、排血口部分４１の繊維集合体を排血口部分４１の前側部分４５まで一体的に延在させることにより、排血口部分４１の前側部分４５の繊維構成を排血口部分４１と同一としているが、例えば臀裂部分４２と同様にする等、排血口部分４１とは異なる繊維構成を採用することもできる。また、吸収体４は、厚肉部４０の繊維集合体を周囲部まで延在させることにより、周囲部の繊維構成を厚肉部４０の繊維構成と同一としているが、異なる繊維構成を採用することもできる。
【００６０】
かくして構成された吸収性物品においては、吸収体４の厚肉部４０における排血口部分４１には細く短めの合成繊維を配合することによって、排血口部分４１の液保持性を抑えて繰り返し吸収性を向上できるだけでなく、柔軟で排血口付近に対して十分にフィットするようになる。また、吸収体４の厚肉部４０における臀裂部分４２は、太く長めの合成繊維を配合することによって嵩高で圧縮復元性に富むようになり、臀裂に対して良好にフィットし、伝い漏れが効果的に防止されるようになる。
【００６１】
なお、バックシート２の両側部は、トップシート３の両側縁からはみ出しており、このはみ出し部分からトップシート３の側部上にかけて伸縮帯２１が前後方向に伸張した状態で接着剤ＨＭ等により張り付けられている。伸縮帯２１は、二つ折りに折り畳んだシート間に糸ゴム等の細長状伸縮部材２２を前後方向に沿って伸張した状態で固定してなるものであり、その伸縮力によりナプキン１が船形に変形される。その他は第１の実施形態と同様である。
【００６２】
＜他の形態への応用について＞
本発明は、本発明の範囲内で、上記例以外の吸収体構造に対しても適用できることはいうまでもない。
【図面の簡単な説明】
【００６３】
【図１】第１の実施形態の生理用ナプキンの展開図である。
【図２】図１のII−II線断面図である。
【図３】図１のIII−III線断面図である。
【図４】上層吸収体と下層吸収体との積層構造（その１）を示す断面図である。
【図５】上層吸収体と下層吸収体との積層構造（その２）を示す断面図である。
【図６】エンボスの説明図である。
【図７】(A)はその要部拡大図であり、(B)はB−B線矢視図である。
【図８】エンボスの位置を下側にずらした生理用ナプキンの展開図である。
【図９】(A)〜(C)はそれぞれエンボスの変形例を示す図である。
【図１０】その他のエンボスの形成態様を示す展開図である。
【図１１】ナプキンの装着状態を示す斜視図である。
【図１２】図１のIV−IV線断面図である。
【図１３】変形例を示す幅方向中央線に沿う縦断面図である。
【図１４】第２の実施形態の幅方向中央線に沿う縦断面図である。
【図１５】第３の実施形態の生理用ナプキンの展開図である。
【図１６】図１５のV−V線断面図である。
【図１７】図１５のVI−VI線断面図である。
【符号の説明】
【００６４】
１…生理用ナプキン、２…不透液性バックシート、３…透液性トップシート、４…吸収体、４Ａ…上層吸収体、４Ｂ…下層吸収体、５…クレープ紙、６…中高部、７…サイド不織布、８…エンボス、８ａ…前端部エンボス、８ｂ…縮小形状エンボス、８ｃ…第１の膨出形状エンボス、８ｄ…中間弧状エンボス、８ｅ…第２の膨出形状エンボス、８ｆ…後部側エンボス、８ｇ…第３の膨出形状エンボス、９…前端独立エンボス、１０…第２の後部側エンボス、１１…後端独立エンボス、ＢＳ…立体ギャザー、Ｗ…ウイング状フラップ、ＷＢ…臀部側ウイング状フラップ、４０…厚肉部、４１…排血口部分、４２…臀裂部分。
【図１】
2010022560.tif 000003
【図２】
2010022560.tif 000004
【図３】
2010022560.tif 000005
【図４】
2010022560.tif 000006
【図５】
2010022560.tif 000007
【図６】
2010022560.tif 000008
【図７】
2010022560.tif 000009
【図８】
2010022560.tif 000010
【図９】
2010022560.tif 000011
【図１０】
2010022560.tif 000012
【図１１】
2010022560.tif 000013
【図１２】
2010022560.tif 000014
【図１３】
2010022560.tif 000015
【図１４】
2010022560.tif 000016
【図１５】
2010022560.tif 000017
【図１６】
2010022560.tif 000018
【図１７】
2010022560.tif 000019